(57)【要約】      （修正有）【課題】軽量化と低コスト化とを実現することができる平面表示装置を提供する。【解決手段】平面表示装置１００は、プラスチック後部カバー１１０と、支持フレーム１２０と、液晶表示モジュール１３０と、ライトバー１４０と、前部カバー１５０とを含む。プラスチック後部カバー１１０は平面表示装置１００の後部外観を構成する。支持フレーム１２０はプラスチック後部カバー１１０に連結される。液晶表示モジュール１３０は支持フレーム１２０に連結される。ライトバー１４０は液晶表示モジュール１３０の近傍に配置される。前部カバー１５０は、プラスチック後部カバー１１０に結合されることにより平面表示装置１００の前部外観を構成し、かつ液晶表示モジュール１３０を露出させるための開口が形成されている。【選択図】図４
0003194934.tif 000002
【実用新案登録請求の範囲】
【請求項１】
平面表示装置であって、
前記平面表示装置の後部外観を構成するプラスチック後部カバーと、
前記プラスチック後部カバーに連結される支持フレームと、
前記支持フレームに連結される液晶表示モジュールと、
前記液晶表示モジュールの近傍に配置されるライトバーと、
前記プラスチック後部カバーに結合されることにより前記平面表示装置の前部外観を構成し、かつ前記液晶表示モジュールを露出させるための開口が形成されている前部カバーと、
を含む平面表示装置。
【請求項２】
前記支持フレームは、
前記ライトバーが連結される接合面と、
前記プラスチック後部カバー上に配列される複数本の水平リブと、
前記プラスチック後部カバー上に配列される複数本の垂直リブと、
を含む請求項１に記載の平面表示装置。
【請求項３】
前記複数本の水平リブの材質は金属である請求項２に記載の平面表示装置。
【請求項４】
前記複数本の水平リブは湾曲構造を有する請求項２に記載の平面表示装置。
【請求項５】
前記複数本の垂直リブの材質は金属である請求項２に記載の平面表示装置。
【請求項６】
前記複数本の垂直リブは湾曲構造を有する請求項２に記載の平面表示装置。
【請求項７】
前記複数本の垂直リブには複数個の取付け用孔が形成され、前記複数個の取付け用孔はＶＥＳＡ規格を満たす請求項２に記載の平面表示装置。
【請求項８】
前記液晶表示モジュールは、
液晶表示パネルと、
前記支持フレームと前記液晶表示パネルとの間に配置される導光板と、
前記支持フレームと前記導光板との間に配置される反射層と、
前記液晶表示パネルと前記導光板との間に配置される複数層の光学フィルムと、
更に含む請求項１に記載の平面表示装置。
【請求項９】
前記プラスチック後部カバーと前記前部カバーとの間に配置され、かつ前記液晶表示パネルと前記複数層の光学フィルムの位置を決める位置決めフレームを更に含む請求項８に記載の平面表示装置。
【請求項１０】
前記ライトバーは前記導光板の１つの光入射面の近傍に配置され、前記ライトバーが発した光線は前記光入射面から前記導光板内に入射され、前記ライトバーは一列に配置されている複数個の点光源を含む請求項８に記載の平面表示装置。
【請求項１１】
前記プラスチック後部カバーの側壁は前記前部カバーの側壁に結合され、前記プラスチック後部カバーの外表面と前記前部カバーの外表面とは同一平面になる請求項１に記載の平面表示装置。
【請求項１２】
前記前部カバーの材質はプラスチックである請求項１に記載の平面表示装置。
【請求項１３】
前記液晶表示モジュールは、
液晶表示パネルと、
前記支持フレームと前記液晶表示パネルとの間に配置される複数層の光学フィルムとを更に含み、
前記ライトバーは、前記光学フィルムと前記支持フレームとの間に配置される請求項１に記載の平面表示装置。
【請求項１４】
前記支持フレームは、
前記プラスチック後部カバー上に配列される複数本の水平リブと、
前記プラスチック後部カバー上に配列される複数本の垂直リブと、
第一平面部と前記第一平面部に傾斜するように前記第一平面部から延伸される第二平面部とを含み、前記第一平面部は前記ライトバーに連結され、前記第二平面部は水平にプラスチック後部カバー上に配置される放熱板と、
を更に含む請求項１に記載の平面表示装置。
【請求項１５】
前記放熱板の前記第二平面部と前記複数本の水平リブの少なくとも１つの水平リブとは、前記第二平面部の法線方向において重畳され、かつ互いに結合される請求項１４に記載の平面表示装置。
【請求項１６】
前記放熱板の前記第二平面部と前記複数本の垂直リブとは、前記第二平面部の法線方向において重畳され、かつ互いに結合される請求項１４に記載の平面表示装置。
【請求項１７】
前記放熱板の前記第二平面部と前記複数本の水平リブとは、前記第二平面部の法線方向において重畳されていない請求項１４に記載の平面表示装置。
【請求項１８】
前記放熱板の前記第二平面部と前記複数本の垂直リブとは、前記第二平面部の法線方向において重畳されていない請求項１４に記載の平面表示装置。
【請求項１９】
前記複数本の水平リブと前記複数本の垂直リブの材質は鉄である請求項１４に記載の平面表示装置。
【請求項２０】
前記複数本の水平リブと前記複数本の垂直リブの材質は亜鉛めっき鋼板である請求項１４に記載の平面表示装置。
【請求項２１】
前記放熱板の材質はアルミニウムである請求項１４に記載の平面表示装置。
【請求項２２】
前記放熱板の材質の導熱性は、前記複数本の水平リブと前記複数本の垂直リブの材質の導熱性より高く、前記放熱板の材質の構造強度は、前記複数本の水平リブと前記複数本の垂直リブの材質の構造強度より弱い請求項１４に記載の平面表示装置。
【請求項２３】
前記各垂直リブは湾曲構造を有する請求項１４に記載の平面表示装置。
【請求項２４】
前記各水平リブは湾曲構造を有する請求項１４に記載の平面表示装置。
【請求項２５】
前記プラスチック後部カバーは複数本の補強リブを含み、前記複数本の補強リブは前記プラスチック後部カバーから突出している請求項１４に記載の平面表示装置。
【請求項２６】
前記第一平面部と前記第二平面部との間の挟角は９０度である請求項１４に記載の平面表示装置。
【考案の詳細な説明】
【技術分野】
【０００１】
本考案は、平面表示装置に関し、特に画像を表示することができる平面表示装置に関する。
【背景技術】
【０００２】
表示技術の発展に伴い、平面表示装置は表示装置の主流になっている。各種の表示装置において、液晶表示装置（liquid  crystal  display）が最も消費者に歓迎されている。
【０００３】
液晶表示装置を製造するとき、液晶表示モジュールとバックライトモジュールを前部カバーと後部カバーとの間に取り付ける。液晶表示モジュールは前部カバーの開口から露出され、前部カバーと後部カバーは液晶表示装置の製品外観を構成する。
【０００４】
所定の構造強度を提供するため、後部カバーの材料として、通常金属、例えば亜鉛めっき鋼板（ＳＥＣＣ）又はアルミニウム合金などを採用する。しかし、金属製の後部カバーは、所定の構造強度を提供することができるが、液晶表示装置の重さを増加させるとともに液晶表示装置のコストを増加させてしまう欠点がある。プラスチック材料を使う場合、金属製の後部カバーと同様な厚さを有するプラスチック製の後部カバーは、所定の構造強度を提供することができない。所定の構造強度を提供するためには、厚さがかなり厚いプラスチック製の後部カバーを使用しなければならない。しかし、これにより表示装置全体の厚さが増加してしまう。また、プラスチック材質と金属材質とを比較してみると、プラスチック材質の放熱性がよくないので、プラスチック製の後部カバーは表示装置の内部の温度を有効に放熱させることができない。表示装置のサイズが大きくなるとき、放熱性能と構造強度とを共に増加させなければならないが、単一な材料で製造した従来の後部カバーは、この２つの要求を同時に満たすことができない。
【０００５】
中国特許第ＣＮ１０２０９６２１９号公報、中国特開第ＣＮ１０１６８５２０９号公報、台湾特開第２００９４４８８９号公報、台湾特開第２０１２４５８２１号公報には表示装置のカバーに関する技術が記載されている。
【先行技術文献】
【特許文献】
【０００６】
【特許文献１】中国特許第ＣＮ１０２０９６２１９号公報
【特許文献２】中国特開第ＣＮ１０１６８５２０９号公報
【特許文献３】台湾特開第２００９４４８８９号公報
【特許文献４】台湾特開第２０１２４５８２１号公報
【考案の概要】
【考案が解決しようとする課題】
【０００７】
本考案の目的は、軽量化と低コスト化とを実現することができる平面表示装置を提供することにある。
【０００８】
本考案の他の目的及び利点などは、本考案開示の技術特徴により一層詳しく理解することができる。
【課題を解決するための手段】
【０００９】
上述した一部分又はすべての目的を解決するため、本考案の実施例は以下のような平面表示装置を提供する。本考案の平面表示装置は、プラスチック後部カバーと、支持フレームと、液晶表示モジュールと、ライトバーと、前部カバーとを含む。プラスチック後部カバーは平面表示装置の後部外観を構成する。支持フレームはプラスチック後部カバーに連結される。液晶表示モジュールは支持フレームに連結される。ライトバーは液晶表示モジュールの近傍に配置される。前部カバーは、プラスチック後部カバーに結合されることにより平面表示装置の前部外観を構成し、かつ液晶表示モジュールを露出させるための開口が形成されている。
【００１０】
本考案の実施例に係る平面表示装置において、支持フレームは、接合面と、複数本の水平リブと、複数本の垂直リブとを含む。ライトバーは該接合面に連結される。複数本の水平リブは、プラスチック後部カバー上に水平に配列される。複数本の垂直リブはプラスチック後部カバー上に垂直に配列される。
【００１１】
本考案の実施例に係る平面表示装置において、水平リブの材質は金属である。
【００１２】
本考案の実施例に係る平面表示装置において、水平リブは湾曲構造を有する。
【００１３】
本考案の実施例に係る平面表示装置において、垂直リブの材質は金属である。
【００１４】
本考案の実施例に係る平面表示装置において、垂直リブは湾曲構造を有する。
【００１５】
本考案の実施例に係る平面表示装置において、垂直リブには複数個の取付け用孔が形成され、該取付け用孔はＶＥＳＡ規格を満たす。
【００１６】
本考案の実施例に係る平面表示装置において、液晶表示モジュールは、液晶表示パネルと、導光板と、反射層と、複数層の光学フィルムとを更に含む。導光板は支持フレームと液晶表示パネルとの間に配置され、反射層は支持フレームと導光板との間に配置され、複数層の光学フィルムは液晶表示パネルと導光板との間に配置される。
【００１７】
本考案の実施例に係る平面表示装置において、プラスチック後部カバーと前部カバーとの間に配置され、かつ液晶表示パネルと複数層の光学フィルムの位置を決める位置決めフレームを更に含む。
【００１８】
本考案の実施例に係る平面表示装置において、ライトバーは導光板の１つの光入射面の近傍に配置され、ライトバーが発した光線は光入射面から導光板内に入射され、ライトバーは一列に配置されている複数個の点光源を含む。
【００１９】
本考案の実施例に係る平面表示装置において、プラスチック後部カバーの側壁は前部カバーの側壁に結合され、かつプラスチック後部カバーの外表面と前部カバーの外表面とは同一平面になる。
【００２０】
本考案の実施例に係る平面表示装置において、前部カバーの材質はプラスチックである。
【００２１】
本考案の実施例に係る平面表示装置において、液晶表示モジュールは、液晶表示パネルと複数層の光学フィルムとを更に含む。光学フィルムは支持フレームと液晶表示パネルとの間に配置され、ライトバーは光学フィルムと支持フレームとの間に配置される。
【００２２】
本考案の実施例に係る平面表示装置において、支持フレームは、複数本の水平リブと、複数本の垂直リブと、放熱板とを含む。複数本の水平リブはプラスチック後部カバー上に配列され、複数本の垂直リブはプラスチック後部カバー上に配列される。放熱板は、第一平面部と、第一平面部に傾斜するように第一平面部から延伸される第二平面部とを含み、第一平面部はライトバーに連結され、第二平面部は水平にプラスチック後部カバー上に配置される。
【００２３】
本考案の実施例に係る平面表示装置において、放熱板の第二平面部と複数本の水平リブとは、第二平面部の法線方向において重畳され、かつ互いに結合される。
【００２４】
本考案の実施例に係る平面表示装置において、放熱板の第二平面部と複数本の垂直リブとは、第二平面部の法線方向において重畳され、かつ互いに結合される。
【００２５】
本考案の実施例に係る平面表示装置において、放熱板の第二平面部と複数本の水平リブとは、第二平面部の法線方向において重畳されていない。
【００２６】
本考案の実施例に係る平面表示装置において、放熱板の第二平面部と複数本の垂直リブとは、第二平面部の法線方向において重畳されていない。
【００２７】
本考案の実施例に係る平面表示装置において、複数本の水平リブと複数本の垂直リブの材質は鉄である。
【００２８】
本考案の実施例に係る平面表示装置において、複数本の水平リブと複数本の垂直リブの材質は亜鉛めっき鋼板である。
【００２９】
本考案の実施例に係る平面表示装置において、放熱板の材質はアルミニウムである。
【００３０】
本考案の実施例に係る平面表示装置において、放熱板の材質の導熱性は、複数本の水平リブと複数本の垂直リブの材質の導熱性より高く、放熱板の材質の構造強度は、複数本の水平リブと複数本の垂直リブの材質の構造強度より弱い。
【００３１】
本考案の実施例に係る平面表示装置において、各垂直リブは湾曲構造を有する。
【００３２】
本考案の実施例に係る平面表示装置において、各水平リブは湾曲構造を有する。
【００３３】
本考案の実施例に係る平面表示装置において、プラスチック後部カバーは複数本の補強リブを含み、複数本の補強リブはプラスチック後部カバーから突出している。
【００３４】
本考案の実施例に係る平面表示装置において、第一平面部と第二平面部との間の挟角は９０度である。
【考案の効果】
【００３５】
上述したことにより、本考案の上記の実施例に係る平面表示装置は、以下の利点又は効果のうち少なくとも１つを奏することができる。本考案の上記の実施例に係る平面表示装置と、重さが重くかつコストがかかる金属後部カバーを使う平面表示装置とを比較して見ると、本考案は、プラスチック後部カバーと支持フレームとを共に使うことにより、軽量化という目的を実現し、かつ低コスト化及び薄型化という要求を満たすことができる。また、本考案の他の実施例において、表示装置のサイズが大きくなるとき、支持フレームに放熱板を更に設けることができる。この放熱板は、ライトバーと接触することにより良好な放熱効果を奏し、かつ構造強度を向上させることができる。すなわち、本考案の放熱板により、放熱効果と構造強度とを同時向上させるとともに、単一な材料で製造した従来の後部カバーのコストが高い問題を解決することができる。
【００３６】
本考案の上述した特徴と利点をより詳しく説明するため、以下の実施例と図面を参照しながら、本考案を詳細に説明する。
【図面の簡単な説明】
【００３７】
【図１】本考案の実施例に係る平面表示装置を示す正面図である。
【図２】図１の平面表示装置のプラスチック後部カバーと支持フレームを示す正面図である。
【図３】図１のＩ−Ｉ線に沿う断面を示す断面図である。
【図４】図３の平面表示装置の下端を示す拡大断面図である。
【図５】図３の平面表示装置の上端を示す拡大断面図である。
【図６】本考案の他の実施例に係る平面表示装置を示す局部断面図である。
【図７】本考案の他の実施例に係る平面表示装置のプラスチック後部カバーと支持フレームを示す正面図である。
【図８】図７の平面表示装置のラスチック後部カバーと支持フレームのＩＩ−ＩＩ線に沿う断面を示す断面図である。
【図９】図８の平面表示装置のラスチック後部カバーと支持フレームの下端を示す拡大断面図である。
【図１０】本考案の他の実施例に係る平面表示装置のプラスチック後部カバーと支持フレームを示す正面図である
【図１１】図１０の平面表示装置のラスチック後部カバーと支持フレームのＩＩＩ−ＩＩＩ線に沿う断面を示す断面図である。
【図１２】図１１の平面表示装置のラスチック後部カバーと支持フレームの下端を示す拡大断面図である。
【考案を実施するための形態】
【００３８】
本考案の前述及び後述する技術的内容、特徴及び効果などは、以下の図面を参照しながら詳細に説明する本考案の好適な実施例により、詳しく理解することができる。以下の実施例に記載される方向用語、例えば、上、下、左、右、前及び後などは、添付図面上の方向のみを示す用語である。すなわち、これらの方向用語は、本考案を説明するものであるが、本考案を限定するものではない。
【００３９】
図１〜図４に示されている本実施例の平面表示装置１００は、パソコン周辺の表示装置に応用できるだけではなく、テレビに応用することもできる。平面表示装置１００は、プラスチック後部カバー１１０と、支持フレーム１２０と、液晶表示モジュール１３０と、ライトバー１４０と、前部カバー１５０とを含む。プラスチック後部カバー１１０はプラスチックの材質で製造した後部カバーであり、プラスチック後部カバー１１０で平面表示装置１００の後部外観を直接構成することにより、軽量化と低コスト化を実現することができる。支持フレーム１２０は、プラスチック後部カバー１１０に連結され、かつ接合面１２０ａを有する。液晶表示モジュール１３０は支持フレーム１２０に連結される。ライトバー１４０は、液晶表示モジュール１３０の近傍に配置され、かつ支持フレーム１２０の接合面１２０ａに連結される。前部カバー１５０の材質はプラスチックであり、前部カバー１５０をプラスチック後部カバー１１０に結合させることにより、平面表示装置１００の前部外観を構成する。前部カバー１５０には、液晶表示モジュール１３０を露出させる開口１５２が更に形成されている。
【００４０】
図３〜図４を参照すると、本実施例の液晶表示モジュール１３０は、液晶表示パネル１３２と、導光板１３４と、反射層１３６と、複数層の光学フィルム１３８とを更に含む。導光板１３４は、支持フレーム１２０と液晶表示パネル１３２との間に配置される。反射層１３６は、支持フレーム１２０と導光板１３４との間に配置される。それらの光学フィルム１３８は、液晶表示パネル１３２と導光板１３４との間に配置される。平面表示装置１００は、位置決めフレーム１６０を更に含む。この位置決めフレーム１６０は、プラスチック後部カバー１１０と前部カバー１５０との間に配置され、かつ液晶表示パネル１３２とそれらの光学フィルム１３８の位置を決める。ライトバー１４０は、導光板１３４の１つの光入射面１３４ａの近傍に配置される。ライトバー１４０は光線Ｌを発し、この光線Ｌは光入射面１３４ａから導光板１３４内に入射される。ライトバー１４０は一列に配置されている複数個の点光源１４２（例えば発光ダイオード）を含む。
【００４１】
図２、図３及び図５を参照すると、本実施例の支持フレーム１２０は、複数本の水平リブ１２２と複数本の垂直リブ１２４とを含む。これらの水平リブ１２２は水平にプラスチック後部カバー１１０上に配置され、それらの垂直リブ１２４は垂直にプラスチック後部カバー１１０上に配置される。良好な構造強度を提供するため、それらの水平リブ１２２の材料として金属を採用し、かつこの水平リブ１２２に湾曲構造１２２ａを形成し、同様にそれらの垂直リブ１２４の材料として金属を採用し、かつこの垂直リブ１２４に湾曲構造１２４ａを形成する。ここで注意すべき点は、図４に示すとおり、下方の水平リブ１２２は支持フレーム１２０の接合面１２０ａを構成し、ライトバー１４０は接合面１２０ａ上に接着されることである。水平リブ１２２の材質が金属である場合、ライトバー１４０が発光するときに発生する熱は、水平リブ１２２が構成した接合面１２０ａから水平リブ１２２の他の部位に伝導され、かつ水平リブ１２２と垂直リブ１２４とが連結されることにより垂直リブ１２４まで伝導されることができる。ここで注意すべき点は、必要する本考案の平面表示装置１００の強度に応じて、水平リブ１２２と垂直リブ１２４の数量を調節することができることである。すなわち、支持フレーム１２０は一本又は複数本の水平リブ１２２と垂直リブ１２４とを含むことができるが、本考案はこれに限定されるものではない。また、各垂直リブ１２４には複数個の取付け用孔１２４ｂが形成されている。これらの取付け用孔１２４ｂは、ＶＥＳＡ規格、すなわち市販されている表示装置壁掛け用金具の共用規格を満たす。
【００４２】
図４を参照すると、本実施例において、プラスチック後部カバー１１０の側壁は、前部カバー１５０の側壁に結合される。具体的には、プラスチック後部カバー１１０の側壁には複数個の後部結合部１１２が形成され、前部カバー１５０の側壁にも複数個の前部結合部１５４が形成され、これらの前部結合部１５４はそれぞれそれらの後部結合部１１２に結合される。プラスチック後部カバー１１０の外表面１１０ａと前部カバー１５０の外表面１５０ａとは同一平面になる。プラスチック後部カバー１１０と前部カバー１５０とは共に平面表示装置１００の製品外観を構成し、特に平面表示装置１００の前方、後方及び外側面を構成する。
【００４３】
図３及び図４を参照すると、本実施例において、側面入射式（Edge−lit）バックライトを採用する。すなわち、ライトバー１４０が発した光線Ｌは、導光板１３４の側面の光入射面１３４ａから導光板１３４内に入射される。他の実施例において、図６に示すとおり、液晶表示モジュール１３０は液晶表示パネル１３２と複数層の光学フィルム１３８とを更に含み、これらの光学フィルム１３８は支持フレーム１２０と液晶表示パネル１３２との間に配置され、ライトバー１４０は、光学フィルム１３８と支持フレーム１２０との間に配置される。すなわち、図６の実施例において、ライトバー１４０は直下式（Direct−lit）バックライトである。
【００４４】
図７〜図９の実施例と図２〜図４の実施例とは相違している。図７〜図９の実施例において、支持フレーム１２０は放熱板１２６を更に含む。放熱板１２６は、第一平面部１２６ａと第二平面部１２６ｂとを含む。第一平面部１２６ａはライトバー１４０に連結される。第二平面部１２６ｂは、第一平面部１２６ａに傾斜するように第一平面部１２６ａから延伸され、かつ水平にプラスチック後部カバー１１０上に配置される。本実施例において、第一平面部１２６ａと第二平面部１２６ｂとの間の挟角Ａは９０度である。
【００４５】
放熱板１２６の第二平面部１２６ｂと水平リブ１２２とは、第二平面部１２６ｂの法線方向Ｎにおいて重畳されるとともに互いに結合される。具体的には、図７〜図９に示すとおり、放熱板１２６の第二平面部１２６ｂと水平リブ１２２とは、複数個の締結部品１２８ａ（例えば金属ネジ）により互いに結合される。放熱板１２６の熱が締結部品１２８ａにより水平リブ１２２に伝導されることにより、放熱面積を増加させることができる。
【００４６】
また、放熱板１２６の第二平面部１２６ｂとそれらの垂直リブ１２４とは、第二平面部１２６ｂの法線方向Ｎにおいて重畳されるとともに互いに結合される。具体的には、図７に示すとおり、放熱板１２６の第二平面部１２６ｂとそれらの垂直リブ１２４とは、複数個の締結部品１２８ｂ（例えば金属ネジ）により互いに結合される。放熱板１２６の熱が締結部品１２８ｂにより垂直リブ１２４に伝導されることにより、放熱面積を増加させることができる。
【００４７】
図７において、放熱板１２６の材質の導熱性は、それらの水平リブ１２２とそれらの垂直リブ１２４の材質の導熱性より高くてよく、放熱板１２６の材質の構造強度は、それらの水平リブ１２２とそれらの垂直リブ１２４の材質の構造強度より弱くてもよい。本実施例において、それらの水平リブ１２２とそれらの垂直リブ１２４の材質は鉄であるか、或いは亜鉛めっき鋼板であり、放熱板１２６の材質はアルミニウムである。
【００４８】
それらの水平リブ１２２は湾曲構造１２２ａを有し、それらの垂直リブ１２４は湾曲構造１２４ａを有することができる。また、プラスチック後部カバー１１０は、複数本の補強リブ１１４を更に含むことができる。これらの補強リブ１１４は、プラスチック後部カバー１１０から突出しており、特にプラスチック後部カバー１１０の内表面１１０ｂから突出している。これらの補強リブ１１４は、プラスチック後部カバー１１０において構造強度を向上させる必要がある個所に分布されている。
【００４９】
図１０〜図１２の実施例と図７〜図９の実施例とは相違している。図１０〜図１２の実施例において、放熱板１２６の第二平面部１２６ｂとそれらの水平リブ１２２とは、第二平面部１２６ｂの法線方向Ｎにおいて重畳されていない。放熱板１２６の第二平面部１２６ｂとそれらの垂直リブ１２４とは、第二平面部１２６ｂの法線方向Ｎにおいて重畳されていない。簡単に説明すると、図１０に示すとおり、これらの水平リブ１２２は、放熱板１２６の第二平面部１２６ｂに重畳されないように放熱板１２６の第二平面部１２６ｂの近傍に位置しており、これらの垂直リブ１２４は、放熱板１２６の第二平面部１２６ｂに重畳されないように第二平面部１２６ｂまで延伸されている。
【００５０】
上述したとおり、本考案の上記の実施例に係る平面表示装置は、後述する利点又は効果のうち少なくとも１つを奏することができる。本考案の上記の実施例に係る平面表示装置と、重さが重くかつコストがかかる金属後部カバーを使う平面表示装置とを比較して見ると、本考案は、プラスチック後部カバーと支持フレームとを共に使うことにより、軽量化という目的を実現し、かつ低コスト化及び薄型化という要求を満たすことができる。また、本考案の上記の実施例において、支持フレームの所定の垂直リブにＶＥＳＡ規格を満たす複数個の取付け用孔が形成されているので、市販されている共用規格の表示装置壁掛け用金具に直接取り付けることができる。また、本考案の上記の実施例において、表示装置のサイズが大きくなるとき、支持フレームに放熱板を更に設けることができる。この放熱板は、ライトバーと接触することにより良好な放熱効果を奏し、かつ構造強度を向上させることができる。すなわち、本考案の放熱板により、放熱効果と構造強度とを同時向上させるとともに、単一な材料で製造した従来の後部カバーのコストが高い問題を解決することができる。輝度が高く、サイズが大きい平面表示装置において、その放熱板は良好な放熱効果を奏することができる。
【００５１】
以上、これらの考案の実施例を図面により詳述してきたが、実施例はこの考案の例示にしか過ぎないものであるため、この考案は実施例の構成にのみ限定されるものではなく、この考案の要旨を逸脱しない範囲の設計の変更等があっても当然にこの考案に含まれる。また、例えば、各実施例に複数の構成が含まれている場合には、特に記載がなくとも、当然にこれらの構成の可能な組合せが含まれる。また、複数の実施例や変形例が示されている場合には、特に記載がなくとも、当然にこれらに跨がった構成の組合せのうちの可能なものが含まれる。
【符号の説明】
【００５２】
１００  平面表示装置
１１０  プラスチック後部カバー
１１０ａ  外表面
１１０ｂ  内表面
１１２  後部結合部
１１４  補強リブ
１２０  支持フレーム
１２０ａ  接合面
１２２  水平リブ
１２２ａ  湾曲構造
１２４  垂直リブ
１２４ａ  湾曲構造
１２４ｂ  取付け用孔
１２６  放熱板
１２６ａ  第一平面部
１２６ｂ  第二平面部
１２８ａ  締結部品
１２８ｂ  締結部品
１３０  液晶表示モジュール
１３２  液晶表示パネル
１３４  導光板
１３４ａ  光入射面
１３６  反射層
１３８  光学フィルム
１４０  ライトバー
１４２  点光源
１５０  前部カバー
１５０ａ  外表面
１５２  開口
１５４  前部結合部
１６０  位置決めフレーム
Ａ  挟角
Ｌ  光線
Ｎ  法線方向
【図１】
0003194934.tif 000003
【図２】
0003194934.tif 000004
【図３】
0003194934.tif 000005
【図４】
0003194934.tif 000006
【図５】
0003194934.tif 000007
【図６】
0003194934.tif 000008
【図７】
0003194934.tif 000009
【図８】
0003194934.tif 000010
【図９】
0003194934.tif 000011
【図１０】
0003194934.tif 000012
【図１１】
0003194934.tif 000013
【図１２】
0003194934.tif 000014